(57)【要約】【目的】ライトバルブの有効画素領域と異なるアスペクト比の画像を拡大投写する装置で、ライトバルブ画像表示領域が有効画素領域よりも小さく、所定条件を満足して少なくとも１つのライトバルブの画像表示領域の中央位置が有効画素領域の中央位置からずれて設定された、低コストでコンパクトな投写型表示装置を得る。【構成】光源１１からの光束を色分解し透過型液晶表示素子１０Ａ〜Ｃに照射し、光変調された光束を合成し拡大投写する装置である。素子１０Ａ〜Ｃで画像表示領域は有効画素領域よりも小さく、素子１０Ａ、１０Ｂで画像表示領域の中央位置は有効画素領域の中央位置からずれている。このずれは、有効画素領域の幅と等しい幅の面を備えたプリズムが配されかつ両領域の中央位置が等しく設定されていると仮定した場合の各画像表示領域の中央位置同士の仮想距離と比べ、素子１０Ａ〜Ｃの画像表示領域の中央位置同士の距離が小さくなるよう設定される。【選択図】          図１
2005148436.tif 000002
【特許請求の範囲】
【請求項１】
２次元の画像情報を表示する略同一形状をなす複数のライトバルブと、該画像情報を担持した光束を光学ブロックにおいて合成し拡大投写する投写光学系とを備えた投写型表示装置において、
前記各ライトバルブで前記画像情報が表示される画像表示領域は、該各ライトバルブで画像表示可能な有効画素領域よりも小とされ、
前記各有効画素領域に対向する面として該各有効画素領域の幅と略等しい幅の面を備えた前記光学ブロックが配されかつ前記各画像表示領域の中央位置が該各有効画素領域の中央位置と略等しく設定されていると仮定した場合の、該各画像表示領域の中央位置同士の仮想距離と比べて、前記複数のライトバルブの該画像表示領域の中央位置同士の距離が小さくなるように、
前記複数のライトバルブのうち少なくとも１つのライトバルブの該画像表示領域の中央位置が、該有効画素領域の中央位置からずれて設定されていることを特徴とする投写型表示装置。
【請求項２】
前記複数のライトバルブにおいて、前記有効画素領域のアスペクト比と前記画像表示領域のアスペクト比とが、異なっていることを特徴とする請求項１記載の投写型表示装置。
【請求項３】
前記複数のライトバルブのうち少なくとも１つのライトバルブにおいて、前記有効画素領域の中央位置と、前記画像表示領域の中央位置とが一致することを特徴とする請求項１または２記載の投写型表示装置。
【請求項４】
前記複数のライトバルブを照明する各照明光学系の光軸もしくは前記投写光学系の光軸が該各ライトバルブと交差する位置が、少なくとも２つの該ライトバルブにおいて互いに異なる位置となるように設定されていることを特徴とする請求項１または２記載の投写型表示装置。
【請求項５】
前記光学ブロックがダイクロイックプリズムとされていることを特徴とする請求項１〜４のうちいずれか１項記載の投写型表示装置。
【請求項６】
前記ダイクロイックプリズムがクロスダイクロイックプリズムとされていることを特徴とする請求項５記載の投写型表示装置。
【請求項７】
前記光学ブロックが偏光ビームスプリッタとされ、この偏光ビームスプリッタにより前記複数のライトバルブのうち少なくとも一部のライトバルブに表示された前記画像情報を担持した光束が合成されることを特徴とする請求項１〜６のうちいずれか１項記載の投写型表示装置。
【発明の詳細な説明】
【技術分野】
【０００１】
この発明は、画像情報に基づいて複数のライトバルブにおいて光束を光変調し、これらの光束を合成し拡大投写する投写型表示装置に関し、特に、光束合成に関わる部分のコンパクト化による投写型表示装置のコンパクト化に関するものである。
【背景技術】
【０００２】
近年プロジェクタ市場はパソコンの普及とともに大きくのびてきている。映像を信号に変え光変調を行うライトバルブとしては、透過型や反射型の液晶表示素子や微小ミラーが規則的に配列された微小反射素子などが知られている。また、これらのライトバルブを使用した投写型表示装置は、主にパソコン画面を拡大投写するフロントプロジェクタや、テレビ画像を拡大投写するリアプロジェクタなど様々な分野に亘っている。
【０００３】
これらの投写型表示装置では、投写画像のアスペクト比は、例えば４：３や１６：９などのテレビ画像に代表される数種類が一般的であり、それに対応してライトバルブについても、有効画素領域がこのアスペクト比となるものが一般に製造されている。
【０００４】
そして、上記一般のものと異なるアスペクト比の画像を要求される場合には、例えば、一般に製造されるアスペクト比のライトバルブを用いるとともに、投写光学系にアナモフィックレンズを用いて、所望のアスペクト比の画像を投写する技術が知られている。例えば、下記特許文献１および特許文献２に記載のものが知られている。
【０００５】
【特許文献１】特開平７−３３３４９７号公報
【特許文献２】特開２００２−２５８１５４号公報
【発明の開示】
【発明が解決しようとする課題】
【０００６】
しかしながら、アナモフィックレンズを用いた投写光学系は、光学系が大型となるほか、コストや投写性能などにも問題がある。
【０００７】
上記一般のものと異なるアスペクト比の画像を要求される場合に、サイズや画素数などの個々の要請にも応えて、これに合わせたアスペクト比のライトバルブを製造することは、製造コストの点で現実的でない。むしろ、一般的アスペクト比の既製のライトバルブを用いながら、より低コストでコンパクトな装置が要請されている。
【０００８】
本発明は、一般的アスペクト比のライトバルブを用いながら、このライトバルブの有効画素領域と異なるアスペクト比や画素数の画像を拡大投写する、低コストでコンパクトな投写型表示装置を提供することを目的とするものである。
【課題を解決するための手段】
【０００９】
本発明に係る投写型表示装置は、２次元の画像情報を表示する略同一形状をなす複数のライトバルブと、該画像情報を担持した光束を光学ブロックにおいて合成し拡大投写する投写光学系とを備えた投写型表示装置において、
前記各ライトバルブで前記画像情報が表示される画像表示領域は、該各ライトバルブで画像表示可能な有効画素領域よりも小とされ、
前記各有効画素領域に対向する面として該各有効画素領域の幅と略等しい幅の面を備えた前記光学ブロックが配されかつ前記各画像表示領域の中央位置が該各有効画素領域の中央位置と略等しく設定されていると仮定した場合の、該各画像表示領域の中央位置同士の仮想距離と比べて、前記複数のライトバルブの該画像表示領域の中央位置同士の距離が小さくなるように、
前記複数のライトバルブのうち少なくとも１つのライトバルブの該画像表示領域の中央位置が、該有効画素領域の中央位置からずれて設定されていることを特徴とするものである。
【００１０】
また、前記複数のライトバルブにおいて、前記有効画素領域のアスペクト比と前記画像表示領域のアスペクト比とが、異なっていることが好ましい。
【００１１】
また、前記複数のライトバルブのうち少なくとも１つのライトバルブにおいて、前記有効画素領域の中央位置と、前記画像表示領域の中央位置とが一致するように構成されていてもよい。
【００１２】
また、前記複数のライトバルブを照明する各照明光学系の光軸もしくは前記投写光学系の光軸が該各ライトバルブと交差する位置が、少なくとも２つの該ライトバルブにおいて互いに異なる位置となるように設定されていてもよい。
【００１３】
また、前記光学ブロックがダイクロイックプリズムまたはクロスダイクロイックプリズムとされて構成されていてもよい。
【００１４】
また、前記光学ブロックが偏光ビームスプリッタとされ、この偏光ビームスプリッタにより前記複数のライトバルブのうち少なくとも一部のライトバルブに表示された前記画像情報を担持した光束が合成されるように構成されていてもよい。
【発明の効果】
【００１５】
本発明による投写型表示装置によれば、ライトバルブの画像表示領域が有効画素領域よりも小とされ、所定の条件を満足するように、少なくとも１つのライトバルブの画像表示領域の中央位置が有効画素領域の中央位置からずれて設定されていることにより、光束合成に関わる光学ブロックのサイズを小さくするとともに、このサイズ縮小に伴って装置全体としても相応にコンパクトにすることができ、かつ低コストな市販のライトバルブを用いてこのライトバルブの有効画素領域と異なるアスペクト比や画素数の画像を拡大投写し得る投写型表示装置とすることができる。
【発明を実施するための最良の形態】
【００１６】
以下、本発明の実施形態に係る投写型表示装置について図面を用いて説明する。本発明の投写型表示装置は、２次元の画像情報を表示する略同一形状をなす複数のライトバルブを備え、光源からの光束を分解して各々対応するライトバルブに照射し、各ライトバルブで光変調された光束を光学ブロックにおいて合成し、拡大投写する装置である。まず、本発明の実施例１に係る投写型表示装置を例として、本発明の概要を説明する。図１は実施例１に係る投写型表示装置の概略構成を示す図である。実施例１では、ライトバルブとして透過型液晶表示素子１０Ａ〜１０Ｃを用いている。
【００１７】
素子１０Ａ〜１０Ｃを照明する照明光学系は、光源１１、球面鏡よりなるリフレクタ１２、重畳レンズまたはリレーレンズとして作用するレンズ１３Ａ〜１３Ｊ、ダイクロイックミラーよりなる色分解手段１４Ａ、１４Ｂ、および全反射ミラー１５Ａ〜１５Ｃを備えている。光源１１はリフレクタ１２の球面中心にその発光点がほぼ位置するように配され、安価な光源部とされている。また、素子１０Ａ〜１０Ｃに表示された画像情報を拡大投写する投写光学系は、光学ブロックとしてのクロスダイクロイックプリズムよりなる色合成手段１６、および投映レンズ１８を備えている。
【００１８】
図示のとおり、色分解手段１４Ａは素子１０Ｂに対応する色光光束と、その余の色光光束とを分離するように設定され、色分解手段１４Ｂは素子１０Ａに対応する色光光束と、素子１０Ｃに対応する色光光束とを分離するように設定されている。また、色合成手段１６内部に形成されたダイクロイック膜は、ダイクロイック膜１７Ａが素子１０Ａに対応する色光光束を反射しその余の色光光束を透過するように設定され、ダイクロイック膜１７Ｂが素子１０Ｂに対応する色光光束を反射しその余の色光光束を透過するように設定されている。なお、素子１０Ａ〜１０Ｃに対応する色光光束とは、青色、緑色、赤色の３原色の光束を任意の順に対応させることができる。
【００１９】
本発明の投写型表示装置において、各ライトバルブで画像情報が表示される画像表示領域は、各ライトバルブで画像表示可能な有効画素領域よりも小とされ、各ライトバルブのうち少なくとも１つのライトバルブでは、画像表示領域の中央位置が、有効画素領域の中央位置からずれて設定されている。
【００２０】
実施例１を例として説明するために、透過型液晶表示素子１０Ａ〜１０Ｃを、それぞれ照明光学系側から見た様子を図２に示す。素子１０Ａ〜１０Ｃは、いずれも透過型液晶表示素子１０と同様の有効画素領域とライトバルブ素子外周（基板を含む素子外周を表す）を有する素子であるが、画像表示領域は有効画素領域よりも小とされているので、図示のとおり、各素子１０Ａ〜１０Ｃには画像表示可能でありながら画像情報が表示されない領域が存在することになる。各素子１０Ａ〜１０Ｃの画像表示領域の位置は互いに異なって設定されている。図示のとおり、素子１０Ａ、１０Ｂでは、画像表示領域の中央位置が有効画素領域の中央位置からずれて設定され、有効画素領域中で画像表示領域が、素子１０Ａでは紙面右側に、１０Ｂでは紙面左側に、いわば片寄せされるように設定されている。素子１０Ｃでは、画像表示領域の中央位置と有効画素領域の中央位置とが一致するように設定されている。
【００２１】
本発明の投写型表示装置において、このような画像表示領域の中央位置と有効画素領域の中央位置とのずれは、各有効画素領域に対向する面として各有効画素領域の幅と略等しい幅の面を備えた光学ブロックが配されかつ各画像表示領域の中央位置が各有効画素領域の中央位置と略等しく設定されていると仮定した場合の、各画像表示領域の中央位置同士の仮想距離と比べて、各ライトバルブの画像表示領域の中央位置同士の距離が小さくなるように（以下、これを「本発明のライトバルブ配設条件」と称する）、設定されたものである。このことを実施例１の部分拡大図である図３と、従来例の同部分を示す図７との比較により説明する。
【００２２】
図７は、上記「各有効画素領域に対向する面として各有効画素領域の幅と略等しい幅の面を備えた光学ブロックが配されかつ各画像表示領域の中央位置が各有効画素領域の中央位置と略等しく設定されていると仮定した場合」の構成を示すものである。図７において、図３と略同様の部材には下２桁の数字およびアルファベットを一致させて符合を付している。それらの作用は図１のものと略同様であるので説明は省略する。
【００２３】
図７のものでは、透過型液晶表示素子１１０Ａ〜１１０Ｃの有効画素領域に対向する面として各有効画素領域の幅と略等しい幅の面を備えたクロスダイクロイックプリズムよりなる色合成手段１１６が配されている。また、図７のものでは、素子１１０Ａ〜１１０Ｃは全て、図３の素子１０Ｃのように、画像表示領域の中央位置が各有効画素領域の中央位置と略等しく設定されている。図から明らかなように、図３のものと図７のものでは、クロスダイクロイックプリズムよりなる色合成手段１６、１１６の大きさがｅとＥとで異なっている以外は、透過型液晶表示素子１０Ａ〜１０Ｃ、１１０Ａ〜１１０Ｃや他の部材は同サイズのものとされている。
【００２４】
図３の投写型表示装置では、図７における各素子１１０Ａ〜１１０Ｃの画像表示領域の中央位置同士の仮想距離と比べて、各素子１０Ａ〜１０Ｃの画像表示領域の中央位置同士の距離が小さくなるように、素子１０Ａ、１０Ｂで画像表示領域の中央位置が有効画素領域の中央位置からずれて設定されている。本発明の投写型表示装置では、所定の素子において、本発明のライトバルブ配設条件に基づいて画像表示領域の中央位置と有効画素領域の中央位置とがずれるように設定することにより、光束合成に関わる光学ブロックのサイズを小さくするとともに、このサイズ縮小に伴って投写型表示装置全体としても相応にコンパクトにすることができる。
【００２５】
すなわち、図７のものでも色合成手段１１６を画像表示領域のサイズにあわせて縮小することは可能であるが、ライトバルブの最近接領域（図３、図７において二点差線の円形で示している）でもライトバルブ間には所定の空間が必要となるために、図７のものでは光学ブロックのサイズ縮小に相応するだけの装置コンパクト化はできない。本発明の投写型表示装置では、上述のように画像表示領域の中央位置と有効画素領域の中央位置とがずれるように設定されているので、ライトバルブの最近接領域でのライトバルブ間隔は図７と同程度であっても、光学ブロック幅がＥからｅへ縮小した分だけ素子１０Ａと素子１０Ｂとの間隔を縮小することができる。そしてその結果、装置としてもミラー１５Ａとミラー１５Ｃとの間隔（ｄ）を、ミラー１１５Ａとミラー１１５Ｃとの間隔（Ｄ）よりもコンパクトに構成できる。
【００２６】
本発明の投写型表示装置の構成においては、仮にライトバルブの全有効画素領域を透過する光束を投写した場合には、スクリーン上で少なくとも２つのライトバルブからの画像が互いにずれて投写されてしまうことになる。これに対し従来例では、ライトバルブの全有効画素領域を透過する光束を投写した場合にも、スクリーン上で全てのライトバルブからの画像は一致して投写される。このことからも、本発明の投写型表示装置が、画像表示領域が有効画素領域よりも小であるときにこれを有効に利用して装置コンパクト化を図るものであることが明らかである。
【００２７】
本発明の投写型表示装置において、このような光学ブロックおよび投写型表示装置のコンパクト化は、各ライトバルブで画像表示領域が有効画素領域よりも、対向するプリズム面の幅方向（各実施例の図面においてはライトバルブの長辺方向）に小とされている場合に、その光学ブロックのサイズを光学ブロックの幅方向に縮小することができ、特にその効果を得ることができる。
【００２８】
なお、従来からある投写型表示装置のなかにも、投写画像の色収差やディストーションを考慮して、厳密には画像表示領域の中央位置と有効画素領域の中央位置が一致していない構成のものがあるが、これらは上述したような本発明の技術思想とは異なるものである。
【００２９】
また、一般のライトバルブにおいて、厳密には、画像表示領域を中央に配して有効画素領域の周辺部に画像情報が非表示となる領域が存在する場合があるが、この画像非表示領域は周辺部に略均等に余裕部分として設定されているものであって、本発明のような技術思想と共通するものではない。
【００３０】
実施例１の投写型表示装置では一般的な有効画素領域のアスペクト比４：３の透過型液晶表示素子１０Ａ〜１０Ｃに対し、画像表示領域が正方形とされている。本発明の投写型表示装置は、有効画素領域のアスペクト比と画像表示領域のアスペクト比とが同様で画像表示領域が有効画素領域よりも小さい場合に用いてもよいが、実施例１のように、複数のライトバルブにおいて、有効画素領域のアスペクト比と画像表示領域のアスペクト比とが異なっている場合に特に有効である。
【００３１】
また、実施例１の投写型表示装置では、透過型液晶表示素子１０Ａ〜１０Ｃを照明する各照明光学系の光軸もしくは透過型液晶表示素子１０Ａ〜１０Ｃからの光束が入射される投写光学系の光軸と、透過型液晶表示素子１０Ａ〜１０Ｃとが交差する位置が、素子１０Ａ〜１０Ｃにおいて全て異なる位置となるように設定されている。
【００３２】
次に、図４は本発明の実施例２に係る投写型表示装置の部分構成図である。この装置は、実施例１のものの変更例であって、透過型液晶表示素子１０Ａ′〜１０Ｃ′における画像表示領域の位置と、この素子１０Ａ′〜１０Ｃ′の配設位置とが実施例１のものと異なっている。透過型液晶表示素子１０Ａ′〜１０Ｃ′は実施例１のものと同様にアスペクト比４：３の素子とされ、正方形状の画像表示領域の位置は、各素子をそれぞれ照明光学系側から見たときに、いずれも実施例１の１０Ｂと同様になるように設定されている。
【００３３】
本実施例においても、素子１０Ａ′〜１０Ｃ′の画像表示領域は有効画素領域よりも小とされ、本発明のライトバルブ配設条件を満足して透過型液晶表示素子１０Ａ′〜１０Ｃ′の画像表示領域の中央位置が、有効画素領域の中央位置からずれて設定されている。従って、実施例１と同様に、色合成手段１６のブロックサイズを小さくするとともに、このサイズ縮小に伴って投写型表示装置全体としても相応にコンパクトにすることができる。
【００３４】
図５は本発明の実施例３に係る投写型表示装置の概略構成図である。実施例３では、ライトバルブとして反射型液晶表示素子２０Ａ、２０Ｂを用いている。
【００３５】
素子２０Ａ、２０Ｂを照明する照明光学系は、光源２１、放物面鏡よりなるリフレクタ２２、インテグレートシステム２４、重畳レンズとして作用するレンズ２３Ａ、２３Ｂ、および特定波長偏光変換素子２９を備え、さらに光学ブロックとしての偏光ビームスプリッタよりなる色分解合成手段２６を含む。光源２１はリフレクタ２２の放物面焦点にその発光点がほぼ位置するように配されている。インテグレートシステム２４は、光源２１からの光束が効率よく素子２０Ａ、２０Ｂの有効開口に照射されるように、光軸に直行する面内における光量分布の均一化を図る。また、素子２０Ａ、２０Ｂに表示された画像情報を拡大投写する投写光学系は、偏光ビームスプリッタよりなる色分解合成手段２６を含み、投映レンズ２８を備えている。
【００３６】
図示のとおり、色分解合成手段２６は内部の偏光分離膜２７の作用により、入射光束を素子２０Ａに対応する波長帯域の光束と、素子２０Ｂに対応する波長帯域の光束とに分解し各々を対応する素子に導くとともに、各素子で反射された画像情報を担持した光束を合成し、投映レンズ２８に向けて出射する。特定波長偏光変換素子２９は、色分解合成手段２６の入射側に配され、所定の波長帯域の光束を所定角度だけ回転させる。特定波長偏光変換素子２９により、均一な偏光方向で入射した照明光束のうち所定の波長帯域の光束だけ偏光方向が変更されるので、照明光束が偏光分離膜２７で分離されて素子２０Ａ、２０Ｂに向かうことになる。なお、素子２０Ａ、２０Ｂに対応する波長帯域の光束とは、例えば、青色、緑色、赤色の３原色の光束のうち任意の２色の色光光束を一方の素子に対応させ、その余の１色の色光光束を他方の素子に対応させることができる。
【００３７】
本実施例においても、素子２０Ａ、２０Ｂの画像表示領域は有効画素領域よりも小とされ、本発明のライトバルブ配設条件を満足して素子２０Ａ、２０Ｂの画像表示領域の中央位置が、有効画素領域の中央位置からずれて設定されている。すなわち、一般的な有効画素領域のアスペクト比４：３の素子に対し、画像表示領域が正方形とされ、素子２０Ａにおいては、色分解合成手段２６側から見て、図２の素子１０Ａと略同様に、有効画素領域中で画像表示領域が紙面右側にいわば片寄せされるように設定され、素子２０Ｂにおいては、色分解合成手段２６側から見て、図２の素子１０Ｂと略同様に、有効画素領域中で画像表示領域が紙面左側にいわば片寄せされるように設定されている。従って、本実施例においても実施例１と同様に、色分解合成手段２６のブロックサイズを小さくするとともに、このサイズ縮小に伴って投写型表示装置全体としても相応にコンパクトにすることができる。
【００３８】
図６は本発明の実施例４に係る投写型表示装置の概略構成図である。実施例４では、ライトバルブとして透過型液晶表示素子３０Ａ〜３０Ｃを用いている。図６には一部の記載を省略しているが、この投写型表示装置も、光源からの光束を色分解した後に各々対応するライトバルブに照射し、各ライトバルブで光変調された光束を合成し、拡大投写する装置である。
【００３９】
照明光束は、照明光学系の、ダイクロイックミラーよりなる色分解手段３４Ａ、３４Ｂ、および全反射ミラー３５Ａ〜３５Ｃを介して素子３０Ａ〜３０Ｃに導かれる。図示のとおり、色分解手段３４Ａは素子３０Ｃに対応する色光光束と、その余の色光光束とを分離するように設定され、色分解手段３４Ｂは素子３０Ａに対応する色光光束と、素子３０Ｂに対応する色光光束とを分離するように設定されている。
【００４０】
また、素子３０Ａ〜３０Ｃに表示された画像情報を拡大投写する投写光学系は、光学ブロックとしてのダイクロイックプリズムよりなる色合成手段３６、および投映レンズ３８を備えている。色合成手段３６内部に形成されたダイクロイック膜は、ダイクロイック膜３７Ａが素子３０Ａに対応する色光光束を透過し素子３０Ｂに対応する色光光束を反射するように設定され、ダイクロイック膜３７Ｂが素子１０Ｃに対応する色光光束を透過しその余の色光光束を反射するように設定されている。なお、素子３０Ａ〜３０Ｃに対応する色光光束とは、青色、緑色、赤色の３原色の光束を任意の順に対応させることができる。
【００４１】
本実施例においても、素子３０Ａ〜３０Ｃの画像表示領域は有効画素領域よりも小とされ、本発明のライトバルブ配設条件を満足して素子３０Ａ、３０Ｂの画像表示領域の中央位置が、有効画素領域の中央位置からずれて設定されている。すなわち、各素子３０Ａ〜３０Ｃは一般的な有効画素領域のアスペクト比４：３の素子に対し、画像表示領域が正方形とされている。また、素子３０Ａ、３０Ｂにおいて、照明光学系側から見て、図２の素子１０Ｂと略同様に、有効画素領域中で画像表示領域が紙面左側にいわば片寄せされるように設定されている。従って、本実施例においても実施例１と同様に、色分解合成手段３６のブロックサイズを小さくするとともに、このサイズ縮小に伴って投写型表示装置全体としても相応にコンパクトにすることができる。
【００４２】
本実施例によれば、ライトバルブ同士の最近接領域に所定の空間を維持しながらブロックサイズ縮小に伴う装置コンパクト化を図るだけでなく、ライトバルブと光学ブロックとの間に所定の空間を維持しながらブロックサイズ縮小に伴う装置コンパクト化を図ることも可能となっている。図示されるとおり、透過型液晶表示素子３０Ｂに関して、画像表示領域の中央位置と有効画素領域の中央位置とが所定方向にずれるように設定することにより、この素子３０Ｂの紙面上側の光学ブロックとの間に所定空間を維持しながら、この素子３０Ｂの画像表示領域に対向するプリズム面の幅を縮小することができ、このことがこの光学ブロックの紙面上下方向および紙面左右方向におけるサイズ縮小を可能としている。その結果として、装置としてもよりコンパクトに構成できることになる。
【００４３】
なお、本実施例において、素子３０Ｃでは、照明光学系側から見て、図２の素子１０Ｃと略同様に、画像表示領域の中央位置と有効画素領域の中央位置とが一致するように設定されている。素子３０Ａ、３０Ｂと素子３０Ｃとでは、画像表示領域の位置が互いに異なって設定されている。
【００４４】
また、この投写型表示装置では、素子３０Ａ、３０Ｂを照明する各照明光学系の光軸もしくは素子３０Ａ、３０Ｂからの光束が入射される投写光学系の光軸と素子３０Ａ、３０Ｂとが交差する位置は、素子３０Ｃを照明する各照明光学系の光軸もしくは素子３０Ｃからの光束が入射される投写光学系の光軸と素子３０Ｃとが交差する位置と互いに異なる位置となるように設定されている。
【００４５】
なお、本発明の投写型表示装置としては、上述した実施例のものに限られず種々の態様の変更が可能である。
【００４６】
例えば、この投写型表示装置の光学ブロックとしては、実施例のものに示されたプリズム状のものに限られず、例えば、平板状のダイクロイックミラーや偏光板を組合わせた部材群とされていてもよい。また、平板状の素子単一のものすることもできる。これらの平板状部材を、色合成手段または色分解合成手段のプリズム中の色合成または色分解合成を行うダイクロイック膜や偏光分離膜に対応するような位置に配することによっても、本発明の作用効果を得ることができる。本発明においてこれら平板状の部材を用いる場合には、光学ブロックとはこのような部材が配置される領域のことを示すものである。
【００４７】
また、この投写型表示装置のライトバルブとしては反射型液晶表示素子や透過型液晶表示素子に限られず、例えば、テキサス・インスツルメンツ社製のデジタルマイクロミラーデバイスのような、微小反射素子を用いる装置に本発明を適用することも可能である。
【００４８】
また、これらのライトバルブは、有効表示領域のアスペクト比が４：３のものに限られない。また、画像表示領域も、実施例のような正方形に限られるものでなく、任意のアスペクト比とすることができる。
【００４９】
また、本発明の投写型表示装置の構成としては、例えば照明光学系の構成や、投写光学系の色合成手段などは、ライトバルブの特性等に応じて適宜変更可能である。例えば、偏光ビームスプリッタを２ないし４つ用いて照明光束を３原色に分解し、３つの反射型画像表示素子に照射するような投写型表示装置においても、本発明によれば、２つの反射型画像表示素子に対向する偏光ビームスプリッタの光学ブロックサイズを小さくすることができ、このサイズ縮小に伴って投写型表示装置全体としても相応にコンパクトにすることができる。
【００５０】
なお、本発明の投写型表示装置において、複数のライトバルブは、互いに異なる色光に対応した複数のライトバルブに限られない。例えば、モノクロ画像を投映する複数のライトバルブを備えた装置や、等しい色光に対応する少なくとも２つのライトバルブを含む複数のライトバルブを備えた装置にも、本発明を適用することができる。光学ブロックは必ずしも色合成を行うものに限られず、互いに異なる方向から入射する光束を合成し所定方向に出射するもの全般を示すものである。
【図面の簡単な説明】
【００５１】
【図１】本発明の実施例１に係る投写型表示装置の概略構成図
【図２】実施例１のライトバルブとその画像表示領域について説明する図
【図３】図１の部分拡大図
【図４】本発明の実施例２に係る投写型表示装置の概略構成図
【図５】本発明の実施例３に係る投写型表示装置の概略構成図
【図６】本発明の実施例４に係る投写型表示装置の概略構成図
【図７】図３と比較するための従来例に係る投写型表示装置の部分構成図
【符号の説明】
【００５２】
１０、１０Ａ〜１０Ｃ、１０Ａ′〜１０Ｃ′、３０Ａ〜３０Ｃ、１１０Ａ〜１１０Ｃ    透過型液晶表示素子
１１、２１    光源
１２、２２    リフレクタ
１３Ａ〜１３Ｊ、２３Ａ、２３Ｂ、１１３Ｅ、１１３Ｇ、１１３Ｊ    レンズ
１４Ａ、１４Ｂ、３４Ａ、３４Ｂ    色分解手段
１５Ａ〜１５Ｃ、３５Ａ〜３５Ｃ、１１５Ａ、１１５Ｃ    全反射ミラー
１６、３６、１１６    色合成手段
１７Ａ、１７Ｂ、３７Ａ、３７Ｂ    ダイクロイック膜
１８、２８、３８    投映レンズ
２０Ａ、２０Ｂ    反射型液晶表示素子
２４    インテグレータシステム
２６    色分解合成手段
２７    偏光分離膜
２９    特定波長偏光変換素子
【図１】
2005148436.tif 000003
【図２】
2005148436.tif 000004
【図３】
2005148436.tif 000005
【図４】
2005148436.tif 000006
【図５】
2005148436.tif 000007
【図６】
2005148436.tif 000008
【図７】
2005148436.tif 000009